(57)【要約】    【課題】本発明は、頭髪の落下を完全に防止でき、かつ、快適な着用感が得られる作業用被り物を提供することを目的とする。    【解決手段】本発明に係る作業用被り物Ａは、頭覆い部１０と、該頭覆い部の前面側を除く周囲から垂下する側面覆い部２０と、側面覆い部の下方に連接した前面が開口した肩覆い部３０とからなり、頭覆い部は、その側周囲部の内側にパイル地１２ａを添設し、側面覆い部は、頭髪が通り抜けず、吸汗性に優れた感触のよいメッシュ生地にて形成し、その前面側における左右の下端部２１ａ、２１ｂに、該下端部を連結する係着部２２を備えると共に、側面覆い部の後部に、側面覆い部を後方に引き寄せる緊締部２４を備えたことを特徴とするものである。    【選択図】        図２
2006249634.tif 000002
【特許請求の範囲】
【請求項１】
頭覆い部と、該頭覆い部の前面側を除く周囲から垂下する側面覆い部とからなり、
側面覆い部は、その前面側における左右の下端部に、該下端部を連結する係着部を備えると共に、側面覆い部の後部に、側面覆い部を後方に引き寄せる緊締部を備えた
ことを特徴とする作業用被り物。
【請求項２】
側面覆い部の下方に、前面が開口した肩覆い部を連接してなることを特徴とする請求項１に記載の作業用被り物。
【請求項３】
側面覆い部を頭髪が通り抜けず、吸汗性に優れた感触のよいメッシュ生地にて形成したことを特徴とする請求項１又は２に記載の作業用被り物。
【請求項４】
頭覆い部の側周囲部の内側にパイル地を添設したことを特徴とする請求項１〜３のいずれか１項に記載の作業用被り物。
【発明の詳細な説明】
【技術分野】
【０００１】
本発明は、衛生的であることが要求される医薬品や食品などを取り扱う工場、半導体などの電子部品などを製造する工場で着用する作業用被り物に関する。
【背景技術】
【０００２】
特許文献１には、防塵衣を着た作業者の頭部で発生したパーティクルが帽子の顔面の開口部から噴出するのを抑制するために、帽子の内側にゴムを通した防塵衣生地を頭の周囲を鉢巻き状に取り巻く形で設け、この防塵衣生地の後頭部には切り込みを入れ面ファスナで大きさの調整を可能とした構造のクリーンルーム用帽子が提案されている。
【０００３】
また、特許文献２には、頭髪の落下をより抑制し得る頭髪落下防止構造を有するものであって、帽子本体部、両側面のフラップ部を少なくとも有し、帽子本体部は、着用者の少なくとも頭髪部全体および両耳を覆い、フラップ部は、こめかみから頬を通り顎までを覆うように、帽子本体部の両側部からさらに広がっており、両フラップ部には、こめかみ部から顎部まで紐通し用のパイピングが設けられ、両パイピングにはそれぞれ紐が通され、両紐は、パイピング内の奥部に一端を固定され、他端はパイピングから出ており、かつ、両紐のうちパイピング内に位置する部分が、弾性的に伸縮し得る素材からなる作業用帽子が提案されている。
【特許文献１】特開平５−１５６５０３
【特許文献２】特開２００２−２１２８２４
【発明の開示】
【発明が解決しようとする課題】
【０００４】
しかしながら、上記背景技術で述べたクリーンルーム用帽子や作業用帽子等の作業帽では、未だ頭髪の落下を完全に防止し得るものではなかった。
【０００５】
そこで本発明者は、鋭意研究を重ね、頭髪の落下を完全に防止でき、かつ、快適な着用感が得られる作業用被り物を開発した。
【課題を解決するための手段】
【０００６】
本発明に係る作業用被り物は、頭覆い部と、該頭覆い部の前面側を除く周囲から垂下する側面覆い部とからなり、側面覆い部は、その前面側における左右の下端部に、該下端部を連結する係着部を備えると共に、側面覆い部の後部に、側面覆い部を後方に引き寄せる緊締部を備えたことを特徴とするものである。
【０００７】
このように構成したことにより、側面覆い部の前面側における左右の下端部を係着部により連結すると側面覆い部の前面側端部が顔面の周囲輪郭にピッタリと沿う状態となり、さらに、側面覆い部の後部における緊締部により側面覆い部の前面側端部が後方に引き寄せられるため側面覆い部の前面側端部が顔面の周囲に強く密着する状態となるので、側面覆い部の前面側端部と顔面との間に隙間が生じず、したがって頭髪が側面覆い部の前面側端部から抜け出して落下するようなことがない。なお、頭覆い部の形状は帽子型でもよく、頭巾型でもよい。
【０００８】
また、上記の構成に加え、側面覆い部の下方に、前面が開口した肩覆い部を連接した構成としてもよい。
【０００９】
このように構成した場合には、肩覆い部の前面が開口しており、重ね合わせないので、着心地がよく、かつ、蒸れ感がない。また、肩覆い部を上着内に収めた場合でも窮屈感が無く、首を前後左右に動かしても肩覆い部による突っ張ることがない。
【００１０】
さらに、上記の構成に加え、側面覆い部を頭髪が通り抜けず、吸汗性に優れた感触のよいメッシュ生地にて形成した構成としてもよい。
【００１１】
このように構成した場合には、蒸れることがなく、着用感が良好であるため、作業者の作業能率を向上させる一助となる。
【００１２】
さらにまた、上記の構成に加え、頭覆い部の側周囲部の内側にパイル地を添設した構成としてもよい。
【００１３】
このように構成した場合には、さらに着用感の良好性が向上し、作業者の作業能率をより一層向上させる一助となる。
【発明の効果】
【００１４】
上記した本発明に係る作業用被り物は、背景技術で述べた作業帽における欠点を解消し、頭髪の落下を完全に防止し得るものであって、快適な着用感が得られるものである。
【発明を実施するための最良の形態】
【００１５】
以下に、本発明に係る作業用被り物の好適な実施例１及び２について詳述する。
【実施例１】
【００１６】
図１は本実施例に係る作業用被り物を前方から見た斜視図であり、図２は該作業用被り物を後方から見た斜視図であり、図３は該作業用被り物を後部の緊締部で引き絞った状態を後方から見た斜視図であり、図４は頭覆い部の内部構造を表す斜視図であり、図５は該作業用被り物を被った状態を前方から見た斜視図であり、図６は図５の状態を後方から見た斜視図であり、図７は図５の状態において係着部を連結した状態を前方から見た斜視図であり、図８は図７の状態を後方から見た斜視図であり、図９は図７の状態において緊締部を引き絞った状態を前方から見た斜視図であり、図１０は図９の状態を後方から見た斜視図である。
【００１７】
図１において、Ａは本実施例に係る作業用被り物を表し、該作業用被り物Ａは、帽子型の被り物であって、主として頭覆い部１０と側面覆い部２０と肩覆い部３０とから構成される。なお、形状は本実施例のように帽子型に限らず、頭巾型であってもよい。
【００１８】
頭覆い部１０は、帽天部１１ａ及び襠部１１ｂからなる帽蓋部１１と、該帽蓋部１１の下方の側周囲部１２と側周囲部１２の前面側に突設された鍔部１３とから構成され、側周囲部１２の左右両側には、メガネ掛け用の輪奈部材１４が縫着されていて輪奈部材１４が面ファスナにより開閉自在に構成されている。また、頭覆い部１０の後部には、サイズ調節用の緊締部１５が設けられており、その構成は後述する側面覆い部２０の後部に設けた緊締部２４と同様である。この頭覆い部１０は、図４に示すようにその側周囲部１２の内側に、着用感を向上させるために、吸汗性があり、かつ、肌触りの良いパイル地１２ａが添設されている。
【００１９】
側面覆い部２０は、前記頭覆い部１０の前面側すなわち、鍔部１３の両端付近を除く周囲から垂下して、前面側が開口するように構成されている。該側面覆い部２０は、頭髪が通り抜けず、吸汗性に優れた感触のよいメッシュ生地にて形成されているため、蒸れることがなく、着用感が良好である。
【００２０】
また、側面覆い部２０は、図１に示すように、その前面側における左右の下端部２１ａ、２１ｂには、該下端部２１ａ、２１ｂを連結する係着部２２として雌雄の面ファスナ２２ａ、２２ｂが相対向して係着可能な位置に縫着されている。したがって、側面覆い部２０の左右の下端部２１ａ、２１ｂを引き寄せながら調節して、面ファスナ２２ａ、２２ｂを接着すれば下端部２１ａ、２１ｂを連結することができる。
【００２１】
さらに、側面覆い部２０は、図２に示すように、その後部に、側面覆い部２０を後方に引き寄せる緊締部２４の結合部材として、雌雄の面ファスナ２４ａ、２４ｂが縫着されている。すなわち、雌側の面ファスナ２４ａは帯状をなしており、面ファスナ２４ａの面を外向きにして、側面覆い部２０の後部において、水平方向にその全体が縫着されている。一方、雄側の面ファスナ２４ｂは、帯状体２５の一部２５ａを残して植設されており、前記雌側の面ファスナ２４ａと接着できるように面ファスナ２４ｂの面を内向きにして、側面覆い部２０の後部において、面ファスナ２４ｂを植設していない帯状体２５の一部２５ａを、前記雌側の面ファスナ２４ａと若干の間隔をあけて水平方向に縫着している。このように側面覆い部２０の後部において、面ファスナ２４ａ、２４ｂからなる緊締部２４を備えたことにより、該緊締部２４における帯状体２５を引っ張りながら、図３に示すように、その雄側の面ファスナ２４ｂを雌側の面ファスナ２４ａに接着すると、側面覆い部２０の前面側端部、すなわち開口縁部２３を後方に引き寄せることができる。
【００２２】
肩覆い部３０は、側面覆い部２０の下方に連接されており、前面が開口した前開き状の構成をなしている。このように肩覆い部３０の前面が開口しているため、重ね合わせる部分がないので、着心地がよく、かつ、蒸れ感がない。また、肩覆い部３０を上着の内側に収めた場合でも窮屈感が無く、首を前後左右に動かしても肩覆い部３０による突っ張りがないので、良好な着用感が得られる。
【００２３】
次に図５〜図１０に基づいて、本実施例に係る作業用被り物Ａの着用状態について説明する。
【００２４】
先ず、図５及び図６に示すように、当該作業用被り物Ａを身体の頭部に被せる。その際、作業用被り物Ａの頭覆い部１０が頭部に具合良く装着できるように緊締部１５により調節する。この状態においては、側面覆い部２０は、その下方において前開き状態のままで、左右の両下端部２１ａ、２１ｂは垂れ下がった状態となり、肩覆い部３０は、身体の肩部に覆い被せた状態となる。
【００２５】
次に、図７及び図８に示すように、側面覆い部２０の左右の下端部２１ａ、２１ｂに縫着した面ファスナ２２ａ、２２ｂを引き寄せながら連結すると、側面覆い部２０の前面側端部、すなわち開口縁部２３が顔面の周囲輪郭に沿う状態となる。この状態においては、前記開口縁部２３を下方に引っ張るだけであるため、開口縁部２３と顔面との間に隙間が生じる余地があり、その隙間から頭髪などがはみ出してきて落下するおそれがある。このおそれを解消するため、開口縁部に伸縮性をもたせる工夫がなされる場合があるが、窮屈感があり、長時間着用する被り物においては苦痛を感じることも少なくない。そこで、本実施例においては、開口縁部２３に伸縮性をもたせてないことにより、窮屈感を解消している。
【００２６】
そこで、図１０に示すように、側面覆い部２０の後部において、面ファスナ２４ａ、２４ｂからなる緊締部２４における帯状体２５を引っ張りながら、その雄側の面ファスナ２４ｂを雌側の面ファスナ２４ａに接着すると、側面覆い部２０の前面側端部、すなわち開口縁部２３が後方に引き寄せられることとなる。したがって、前述のように側面覆い部２０の左右の両下端部２１ａ、２１ｂを引き寄せながら面ファスナ２２ａ、２２ｂを連結すると、開口縁部２３が下方に引っ張られることと相俟って、図９に示すように、側面覆い部２０の開口縁部２３が顔面の周囲に強く密着する状態となる。このように、開口縁部２３を下方に引っ張り、かつ、後方に引き寄せることにより、側面覆い部２０の開口縁部２３と顔面との間に隙間が生じる余地がなくなり、頭髪が側面覆い部の前面側端部から抜け出して落下するようなことがない。
【図面の簡単な説明】
【００２７】
【図１】本実施例に係る作業用被り物の前方から見た斜視図である。
【図２】本実施例に係る作業用被り物の後方から見た斜視図である。
【図３】本実施例に係る作業用被り物を後部の緊締部で引き絞った状態を後方から見た斜視図である。
【図４】頭覆い部の内部構造を表す斜視図である。
【図５】本実施例に係る作業用被り物を被った状態を前方から見た斜視図である。
【図６】本実施例に係る作業用被り物を被った状態を後方から見た斜視図である。
【図７】本実施例に係る作業用被り物を被って係着部を連結した状態を前方から見た斜視図である。
【図８】本実施例に係る作業用被り物を被って係着部を連結した状態を後方から見た斜視図である。
【図９】本実施例に係る作業用被り物を被って係着部を連結し、緊締部を引き絞った状態を前方から見た斜視図である。
【図１０】本実施例に係る作業用被り物を被って係着部を連結し、緊締部を引き絞った状態を後方から見た斜視図である。
【符号の説明】
【００２８】
Ａ・・・作業用被り物          １０・・頭覆い部
１１・・帽蓋部                １１ａ・帽天部
１１ｂ・襠部                  １２・・側周囲部
１２ａ・パイル地              １３・・鍔部
１４・・メガネ掛け用輪奈部材  １５・・サイズ調節用緊締部
２０・・側面覆い部            ２１ａ・右下端部
２１ｂ・左下端部              ２２・・係着部
２２ａ・雌側の面ファスナ      ２２ｂ・雄側の面ファスナ
２３・・開口縁部              ２４・・緊締部
３０・・肩覆い部
【図１】
2006249634.tif 000003
【図２】
2006249634.tif 000004
【図３】
2006249634.tif 000005
【図４】
2006249634.tif 000006
【図５】
2006249634.tif 000007
【図６】
2006249634.tif 000008
【図７】
2006249634.tif 000009
【図８】
2006249634.tif 000010
【図９】
2006249634.tif 000011
【図１０】
2006249634.tif 000012